(57)【要約】【課題】従来の自転車のチェーン洗浄装置はチェーンを洗浄できても、前後ギアを洗浄することはできなかった。その結果、従来の洗浄装置を取付けてチェーンを駆動させると、洗浄装置から出たチェーンが前後ギアと接触した際に、ギアの汚れを吸着してしまい、不完全な洗浄しかできなかった。【解決手段】角度自在Ｖフレーム１を自転車のシートステイ２とチェーンステイ３の交わる内角に取付け、その角度自在Ｖフレーム１に、チェーン５と前側ギア７と後側ギア６を洗浄するブラシa８とブラシｂ９とブレード型ブラシｃ１０取付けた。これによりチェーンとギアが同時に清掃・洗浄可能となった。【選択図】図１
2018149899.tif 000002
【特許請求の範囲】
【請求項１】
角度自在Ｖフレーム（１）は、自転車のシートステイ（２）の内側に取付けるフレームa（１６）と、チェーンステイ（３）の内側に取付けるフレームｂ（１７）とが、一方の端部を開閉自在に接続された構成になっており、フレームa（１６）にはチェーン（５）を洗浄する第１洗浄具（８）を取付ける第１洗浄具取付け部材（３０）と、後側ギア（６）を洗浄する第２洗浄具（９）を取付ける第２洗浄具取付け部材（３１）とが長手方向に移動自在に取付けられ、フレームｂ（１７）には前側ギア（７）を洗浄する第３洗浄具（１０）を取付ける第３洗浄具取付け部材（３２）が長手方向に移動自在に取付けられており、フレームa（１６）とフレームｂ（１７）が自由な角度に調整できる自転車用洗浄装置。
【請求項２】
フレームa（１６）とフレームｂ（１７）には長手方向に溝（１９）が彫られており、溝（１９）に沿って第１洗浄具取付け部材（３０）と第２洗浄具取付け部材（３１）と第３洗浄具取付け部材（３２）が自在な位置に移動・固定が可能な請求項１に記載の自転車用洗浄装置
【請求項３】
第１洗浄具（８）と第２洗浄具（９）と第３洗浄具（１０）を備え、第１洗浄具（８）と第２洗浄具（９）はブラシで構成されており、第３洗浄具（１０）はブレード状の洗浄部材で構成されている請求項１又は２に記載の自転車用洗浄装置。
【請求項４】
フレームｂ（１７）には洗浄又は潤滑に使用する液体を、チェーン（５）に散布・回収する洗浄液入出トレー（１２）が取付けられている請求項１から３のいずれか１項に記載の自転車用洗浄装置。
【発明の詳細な説明】
【技術分野】
【０００１】
本発明は、自転車に使用されている、チェーン及び駆動ギア等を洗浄するための自転車用洗浄装置に関する。
【背景技術】
【０００２】
従来、チェーン及びギアの洗浄は個別に行われていた（特許文献１を参照）。
【先行技術文献】
【特許文献】
【０００３】
【特許文献１】特許第３３２８７８２号公報
【発明の概要】
【発明が解決しようとする課題】
【０００４】
従来の自転車のチェーン洗浄装置はチェーンを洗浄できても、前後ギアを洗浄することはできなかった。その結果、従来の洗浄装置を取付けてチェーンを駆動させると、洗浄装置から出たチェーンが前後ギアと接触した際に、ギアの汚れを吸着してしまい、不完全な洗浄しかできなかった。
【課題を解決するための手段】
【０００５】
本発明の自転車用洗浄装置は、角度自在Ｖフレーム（１）は、自転車のシートステイ（２）の内側に取付けるフレームa（１６）と、チェーンステイ（３）の内側に取付けるフレームｂ（１７）とが、一方の端部を開閉自在に接続された構成になっており、フレームa（１６）にはチェーン（５）を洗浄する第１洗浄具（８）を取付ける第１洗浄具取付け部材（３０）と、後側ギア（６）を洗浄する第２洗浄具（９）を取付ける第２洗浄具取付け部材（３１）とが長手方向に移動自在に取付けられ、フレームｂ（１７）には前側ギア（７）を洗浄する第３洗浄具（１０）を取付ける第３洗浄具取付け部材（３２）が長手方向に移動自在に取付けられており、フレームa（１６）とフレームｂ（１７）が自由な角度に調整できる。
【発明の効果】
【０００６】
本発明の自転車用洗浄装置を用いれば、今まで個別で洗浄していたチェーンとギアを同時に洗浄することが可能となり、汚れた部位をくまなく効率よく迅速に綺麗にすることができる。さらに洗浄・潤滑に使用する液体を投入・回収する洗浄液入出トレーを備えたことで、洗浄剤と潤滑剤を周囲に飛散させることなく、チェーンとギアに散布し、またそれらの余剰な液を集約することが可能となっており、周辺環境及び、作業者が廃液で汚れることがなくなった。
【図面の簡単な説明】
【０００７】
【図１】本発明の自転車用洗浄装置を自転車後部に取付けた外観図
【図２】角度自在Ｖフレームの部品構成図
【図３】図２のフレームｂにおけるＡ−Ａ線断面図
【図４】図２のＢ−Ｂ線断面図
【図５】ブラケットの外観図であり、（ａ）は正面図、（ｂ）は側面図
【図６】角度自在Ｖフレームへのブラケット取付けの例であり、（ａ）は取付け時の正面図、（ｂ）は取付け時の断面図
【図７】ブラシaの外観図であり、（ａ）は側方からみた外観図、（ｂ）は後方から見た外観図
【図８】ブラシｂの外観図
【図９】第３洗浄具取付け部材とブレード型ブラシ(ｃ)の外観図であり、（ａ）は側方からみた外観図、（ｂ）は前方から見た外観図
【図１０】洗浄液入出トレーの外観図であり、（ａ）は前方からみた外観図、（ｂ）は側方から見た外観図
【発明を実施するための形態】
【０００８】
以下、本発明を実施するための形態を図１〜図１０に基づいて説明する。
【０００９】
図１は本発明の自転車用洗浄装置を自転車後部に取付けた外観図である。後側ホイール４は前側ギア７と後側ギア６に巻きつけられたチェーン５によって駆動される。本発明の角度自在Ｖフレーム１は、自転車のシートステイ２の内側に取付けるフレームa１６と、チェーンステイ３の内側に取付けるフレームｂ１７とが、一方の端部をヒンジ１８により開閉自在に接続された構成になっている。
【００１０】
角度自在Ｖフレーム１のフレームｂ１７の断面形状は図３に示すように正方形であり、全ての側面に溝１９が長手方向に彫られている。溝１９にはナット２１を入れることができ、そこにボルト２０を締めこむことで、ボルト２０は長手方向に自在に移動でき、任意の位置にボルト２０を固定することができる。フレームa１６の断面形状も図３とは図面が上下逆となるが、同じ位置関係である。
【００１１】
角度自在Ｖフレーム１の自転車への取付け方法としては、フレームa１６とシートステイ２を例えば収縮性のあるバンド１３で挟み込み、フレームa１６をシートステイ２に固定する。
【００１２】
フレームｂ１７とチェーンステイ３を例えば収縮性のあるバンド１３で挟み込み、フレームｂ１７をチェーンステイ３に固定する。これによりフレームa１６とフレームｂ１７とヒンジ１８で構成されている角度自在Ｖフレーム１は自転車に固定される。
【００１３】
溝１９には図３に示すように様々な洗浄具をボルト２０とナット２１で取付けできる。なお第１洗浄具であるブラシａ８と第２洗浄具であるブラシｂ９の取付けは図５に示すように穴２３を有するブラケット２２を介することで行われる。ブラケット２２は溝１９に図６に示す位置関係で取付けられる。ブラケット２２を取付けるボルト２０を緩めると溝１９の上を任意に移動し、ボルト２０を締めるとその場で角度を決めて固定することができる。これにより、ブラシａ８とブラシｂ９を任意の位置に動かし固定することが可能となる。
【００１４】
第１洗浄具であるブラシａ８はチェーン５を洗浄するための洗浄具である。ブラシａ８を取付ける第１洗浄具取付け部材３０は、ボルト２０とナット２１とブラケット２２と丸パイプ２４で構成されている。図４に示すようにフレームa１６の溝位置Ｂに、図６に示すようにブラケット２２をボルト２０とナット２１で取付け、そのブラケット２２の穴２３にパイプ２４を取付ける。そうすることで丸パイプ２４はチェーン５に対して垂直方向に取付けられる。その丸パイプ２４にブラシａ８のフック部２５を引っ掛けてブラシａ８を固定する。ブラシａ８は螺旋状に捩れており、ブラシａ８の螺旋の中心部を通過するようにチェーン５に取付ける。チェーン５の全周囲をブラシａ８が取り囲むことで、チェーン５をくまなく清掃・洗浄することができる。
【００１５】
第２洗浄具であるブラシｂ９は後側ギア６を洗浄するための洗浄具である。図８に示すように、ブラシｂ９にはフレキシブルアーム１１が取り付けられている。ブラシｂ９を取付ける第２洗浄具取付け部材３１は、ボルト２０とナット２１とブラケット２２とフレキシブルアーム１１とで構成されている。図４に示すようにフレームa１６の溝位置Ａにブラケット２２をボルト２０とナット２１で図６に示すように取付ける。更にそのブラケット２２の穴２３にフレキシブルアーム１１を取付けることにより、ブラシｂ９をフレームa１６に取付ける。ブラシｂ９はフレキシブルアーム１１によって自在に動き、後側ギア６を洗浄しやすい位置で固定ができる。これにより、ブラシｂ９を後側ギア６に接触させて、後側ギア６の清掃・洗浄することができる。
【００１６】
第３洗浄具であるブレード型ブラシｃ１０は前側ギア７を洗浄するための洗浄具であり、ブレード状の洗浄部材で構成されている。図９に示すように、ブレード型ブラシｃ１０にはＴ字形アーム２７が取付けられている。ブレード型ブラシｃ１０を取付ける第３洗浄具取付け部材３２は、ボルト２０とナット２１とＴ字形アーム２７とで構成されている。図４に示すようにフレームｂ１７の溝位置Ｅに、ブレード型ブラシｃ１０を取付けたＴ字形アーム２７を取付け穴２６を利用してボルト２０とナット２１で取付ける。次にブレード型ブラシｃ１０を前側ギア７に接触させる。ブレード型ブラシｃ１０はＴ字形アーム２７の支点部１４により前側ギア７の形状に沿う角度に調整される。その位置でボルト２０を締めこむことでブレード型ブラシｃ１０をフレームｂ１７に固定する。これにより、前側ギア７の清掃・洗浄がなされる。ブレード型ブラシｃ１０の幅は大小複数ある前側ギア７の取付け間隔より細く、またチェーン５が掛かっていない部位にブラシが設置されているので、ブレード型ブラシｃ１０の位置を変えることで大小複数ある前側ギア７の清掃・洗浄することができる。
【００１７】
フレームｂ１７に例えば収縮性のあるバンド１３を取付け、チェーン５の下に置いた洗浄液入出トレー１２を挟み込んで固定する。チェーン５を駆動させながら洗浄液入出トレー１２の中央より後ろから洗浄液を投入することで、前側ギア７と後側ギア６にも洗浄液が伝播し、各部に取付けられた洗浄具によって清掃・洗浄がなされる。使用済みの洗浄液は洗浄液入出トレー１２に戻るが、チェーン５は前下がりに傾斜している為、洗浄液入出トレー１２の前方より排出される。
【００１８】
角度自在Ｖフレーム１は二つのフレームａ１６とフレームｂ１７の一方の端部をヒンジ１８により開閉自在に接続された構成となっているが、これには以下の理由がある。洗浄時に角度自在Ｖフレーム１を構成するフレームa１６とフレームｂ１７には互いに向かい合う方向にそれぞれのブラシからの反発力が発生している。フレームa１６とフレームｂ１７が接続されていない状態では、ブラシからの反発力に対抗する為に取付けに力を要する固定力の強いバンドを必要とするが、この２つのフレームを接続することで、それぞれのブラシからの反発力を相殺する効果が得られ、取付けに力を要する固定力の強いバンドを必要としなくなった。さらに２つのフレームを接続することで一方のフレームを固定するバンドがもう一方のフレームの傾きを防ぐ効果も得られる。
また、２つのフレームａ１６とフレームｂ１７が開閉自在である為、多種様々な自転車のシートステイ２とチェーンステイ３の内側の角度にも柔軟に対応できる。
さらに、全てのブラシが角度自在Ｖフレーム１に取付けられているので、自転車への脱着は角度自在Ｖフレーム１を外すだけで済むので。幅広い年代のユーザーにも容易に扱えるものとなっている。
【００１９】
本発明の自転車用洗浄装置は主に角度自在Ｖフレーム１と洗浄具取付け部材とブラシの３つで構成されている。洗浄具取付け部材は洗浄部位にブラシを洗浄に最適な位置・角度に固定する為に構成されている。またブラシと洗浄具取付け部材が分離していることで、ブラシが消耗した際にはブラシのみの交換で洗浄力を復帰できる為、使用者の洗浄具交換時の経済的負担ならびに必要最小限の廃棄部品に抑えることで地球環境への影響を最小限に留めることが可能となっている。
【００２０】
なお上記実施の形態では、フレキシブルアーム１１とＴ字形アーム２７をそれぞれ洗浄具取付け部材３１と洗浄具取付け部材３２の構成部品として説明したが、フレキシブルアーム１１とＴ字形アーム２７をそれぞれブラシｂ９、ブレード型ブラシｃ１０と一緒に消耗部品として交換する場合には、フレキシブルアーム１１とＴ字形アーム２７をそれぞれ第２洗浄具及び第３洗浄具に含めてもよい。
また、上記実施の形態では、フレームａ１６とフレームｂ１７に各洗浄具を取付ける構造として、フレームａ１６、フレームｂ１７に溝１９を彫り、この溝１９にボルト２０とナット２１を用いて洗浄具取付け部材３０、３１、３２を取付ける構造を説明したが、フレームａ１６、フレームｂ１７の長手方向に洗浄具取付け部材３０、３１、３２を自在に移動・固定できる方法であれば他の方法でもよい。例えば、自動車のシートレールや自転車のクイックリリースのような構造でもよい。
また、第１洗浄具、第２洗浄具、第３洗浄具としては、上記実施の形態に示したブラシ状の構造のもの以外でも、スポンジやへら状のような構造のものでもよい。
【産業上の利用可能性】
【００２１】
本発明は自転車用洗浄装置チェーンのみならず前後ギアを同時に洗浄する用途に最適である
【符号の説明】
【００２２】
１     角度自在Ｖフレーム
２     シートステイ
３     チェーンステイ
４     後側ホイール
５     チェーン
６     後側ギア
７     前側ギア
８     ブラシa（第１洗浄具）
９     ブラシｂ（第２洗浄具）
１０   ブレード型ブラシｃ（第３洗浄具）
１１   フレキシブルアーム
１２   洗浄液入出トレー
１３   バンド
１４   ブラシｃ支点部
１６   フレームａ
１７   フレームｂ
１８   ヒンジ
１９   溝
２０   ボルト
２１   ナット
２２   ブラケット
２３   穴
２４   パイプ
２５   フック部
２６  取付け穴
２７  Ｔ字形アーム
３０  第１洗浄具取付け部材
３１  第２洗浄具取付け部材
３２  第３洗浄具取付け部材
【図１】
2018149899.tif 000003
【図２】
2018149899.tif 000004
【図３】
2018149899.tif 000005
【図４】
2018149899.tif 000006
【図５】
2018149899.tif 000007
【図６】
2018149899.tif 000008
【図７】
2018149899.tif 000009
【図８】
2018149899.tif 000010
【図９】
2018149899.tif 000011
【図１０】
2018149899.tif 000012